(57)【要約】【課題】巻き崩れを生じさせることなくテープを迅速に巻き取ることができるテープ巻取り用治具及び小巻テープを提供すること。【解決手段】電動の回転工具に装着することができるテープ巻取り用治具１０であって、電動の回転工具に着脱可能な連結部１１と、連結部１１から延び、テープを巻取り可能な細い棒状の巻取部１２と、巻取部１２の長手方向に延びるように設けられ、テープを差し込み可能であるスリット状の開口部１３と、を備えるテープ巻取り用治具１０、及び該テープ巻取り用治具１０と、該テープ巻取り用治具１０に巻き付けられたテープ３０と、を備える小巻テープ１００。【選択図】図１
2019210083.tif 000002
【特許請求の範囲】
【請求項１】
電動の回転工具に装着することができるテープ巻取り用治具であって、
前記電動の回転工具に着脱可能な連結部と、
前記連結部から延び、テープを巻取り可能な細い棒状の巻取部と、
前記巻取部の長手方向に延びるように設けられ、テープを差し込み可能であるスリット状の開口部と、を備えるテープ巻取り用治具。
【請求項２】
前記電動の回転工具は、電動ドライバである請求項１に記載のテープ巻取り用治具。
【請求項３】
前記開口部は、前記巻取部の回転軸を通り、かつ回転軸に対して垂直に貫通することにより形成される請求項１又は２に記載のテープ巻取り用治具。
【請求項４】
電動の回転工具に着脱可能な連結部、前記連結部から延び、テープを巻取り可能な細い棒状の巻取部、及び前記巻取部の長手方向に延びるように設けられ、テープを差し込み可能であるスリット状の開口部、を有するテープ巻取り用治具と、
前記テープ巻取り用治具に巻き付けられたテープと、を備える小巻テープ。
【発明の詳細な説明】
【技術分野】
【０００１】
本発明は、テープ巻取り用治具及び小巻テープに関する。
【背景技術】
【０００２】
エアコンディショナ等の空調設備の設置や保守作業において、壁と近接した配管、密集した配管と配管との間等の狭い空間で、保護テープ、断熱シート等を配管に巻き付ける場合がある。上記のような狭い空間では、テープの巻径が大きい場合、配管と壁との間等にテープを通すことが困難であり、配管に巻き付けることが容易ではない。市販のテープは芯の径が大きいため、現場の作業者は、径の小さい棒状物に市販のテープを巻き取って小巻テープを作成している。
【０００３】
例えば、特許文献１には、電動ドライバを用いてテープを巻き取る治具が記載されている。電動ドライバから回転力を伝達する伝達部材に捲回部材を取り付け、テープを捲回部材に巻き付けている。これにより、作業者が手で巻いて行っていた小巻のテープの作成時間及び作業負担を軽減することができる。
【先行技術文献】
【特許文献】
【０００４】
【特許文献１】特許第５９０２８５０号公報
【発明の概要】
【発明が解決しようとする課題】
【０００５】
特許文献１では、治具の捲回部材の外周面にテープの端部を軽く押し付けながら、電動ドライバの動作を開始して、捲回部材にテープを巻き付けている。しかし、特許文献１に記載の治具では、幅の狭いテープ、粘着力の弱いテープ、非粘着テープ等を用いた場合、捲回部材の表面にテープがうまく固定されず巻き始めにズレが生じるおそれがある。ズレが生じた状態でテープを巻き取り続けることにより、巻き取られたテープに皺や捩れが生じ、場合によっては、テープを巻き直す必要も生じる。
【０００６】
本発明は上記に鑑みてなされたものであり、巻き崩れを生じさせることなくテープを迅速に巻き取ることができるテープ巻取り用治具及び小巻テープを提供することを目的とする。
【課題を解決するための手段】
【０００７】
本発明は、電動の回転工具に装着することができるテープ巻取り用治具であって、前記電動の回転工具に着脱可能な連結部と、前記連結部から延び、テープを巻取り可能な細い棒状の巻取部と、前記巻取部の長手方向に延びるように設けられ、テープを差し込み可能であるスリット状の開口部と、を備えるテープ巻取り用治具に関する。
【０００８】
前記電動の回転工具は、電動ドライバであることが好ましい。
【０００９】
前記開口部は、前記巻取部の回転軸を通り、かつ回転軸に対して垂直に貫通することにより形成されることが好ましい。
【００１０】
また本発明は、電動の回転工具に着脱可能な連結部、前記連結部から延び、テープを巻取り可能な細い棒状の巻取部、及び前記巻取部の長手方向に延びるように設けられ、テープを差し込み可能であるスリット状の開口部、を有するテープ巻取り用治具と、前記テープ巻取り用治具に巻き付けられたテープと、を備える小巻テープに関する。
【発明の効果】
【００１１】
本発明によれば、巻き崩れを生じさせることなくテープを迅速に巻き取ることができるテープ巻取り用治具及び小巻テープを提供することができる。
【図面の簡単な説明】
【００１２】
【図１】本発明の一実施形態に係るテープ巻取り用治具の電動ドライバへの装着前後の状態を示す正面図である。
【図２】本発明の一実施形態に係るテープ巻取り用治具を示す斜視図である。
【図３】本発明の一実施形態に係るテープ巻取り用治具を示す正面図である。
【図４】本発明の一実施形態に係るテープ巻取り用治具を示す左側面図である。
【図５】本発明の一実施形態に係るテープ巻取り用治具を示す右側面図である。
【図６】本発明の一実施形態に係る小巻テープを示す斜視図である。
【図７Ａ】本発明の一実施形態に係るテープ巻取り用治具によるテープ巻取り開始時の態様を示す斜視図である。
【図７Ｂ】本発明の一実施形態に係るテープ巻取り用治具によるテープの巻取り完了時の態様を示す斜視図である。
【図８】本発明の一実施形態に係る小巻テープをエアコンディショナの配管に巻き付ける様子を斜め下方から見た斜視図である。
【図９】本発明の一実施形態に係る小巻テープをエアコンディショナの配管に巻き付ける様子を斜め下方から見た拡大図である。
【発明を実施するための形態】
【００１３】
以下、本発明の実施形態について、図面を参照しながら説明する。ただし、本発明は以下の実施形態に限定されるものではない。
【００１４】
図１は、本実施形態に係るテープ巻取り用治具１０の電動ドライバ２０への装着前後の状態を示す正面図である。本実施形態に係るテープ巻取り用治具１０は、電動ドライバ２０等の回転工具に装着して用いられ、回転させて市販のテープを巻き取ることが可能な治具である。
【００１５】
電動ドライバ２０は、本体部２１と、チャック部２２と、を含む汎用の電動ドライバであり、チャック部２２にテープ巻取り用治具１０が装着される。
【００１６】
本実施形態に係るテープ巻取り用治具１０の構成について説明する。図２はテープ巻取り用治具１０の斜視図、図３はテープ巻取り用治具１０の正面図、図４はテープ巻取り用治具１０の左側面図、図５はテープ巻取り用治具１０の右側面図である。図１から図５に示すように、テープ巻取り用治具１０は、電動の回転工具に着脱可能な連結部１１と、テープを巻取り可能な巻取部１２と、テープを差し込み可能な開口部１３と、を含んで構成される。連結部１１及び巻取部１２は一体的に形成される。
【００１７】
連結部１１は、電動ドライバ２０との連結部位である。連結部１１は、その一端側が電動ドライバ２０のチャック部２２に嵌挿可能に構成される。図２から図５に示すように、本実施形態に係る連結部１１の形状は六角柱状である。連結部１１の径のサイズについては、電動ドライバ２０に装着可能なサイズであればよい。
【００１８】
巻取部１２は、連結部１１の他端から長手方向に延びる細長い円柱であり、後述するテープ３０（図６参照）が巻き付けられる部位である。巻取部１２の径は、径の小さいテープを作成できるサイズであれば特に制限されない。なお、本実施形態に係る巻取部１２の径のサイズは連結部１１の径よりも小さい。巻取部１２の長さは、巻取り対象となる市販のテープの幅に応じて設定することが好ましい。
【００１９】
開口部１３は、図３に示すように、テープ３０を差し込むことが可能なスリット状の開口部であり、巻取部１２の長手方向に延びるように設けられる。開口部１３は、巻取部１２の外周から回転軸を通り、回転軸に対して垂直に反対側の外周へ貫通するように形成される。巻取部１２の外周に形成される開口部１３の大きさは、市販のテープの幅及び厚さに応じて設定することが好ましい。
【００２０】
本実施形態のテープ巻取り用治具１０を用いて形成される小巻テープ１００について説明する。本実施形態に係る小巻テープ１００は、エアコンディショナ等の空調機器の配管と壁の間等の狭い空間での施工に用いられる。
【００２１】
図６は、本実施形態に係る小巻テープ１００を示す斜視図である。図６に示すように、小巻テープ１００は、テープ巻取り用治具１０と、テープ巻取り用治具１０に巻き付けられたテープ３０と、を備える。
【００２２】
テープ巻取り用治具１０に巻き付けられるテープ３０は、薄い帯状のものが用いられる。例えば、粘着性テープ、非粘着性テープ、断熱シート等がテープ３０として挙げられる。小巻テープ１００の巻径は、施工される作業スペースに応じて適宜調整される。
【００２３】
以下、本実施形態に係るテープ巻取り用治具１０の使用形態について、図１、７Ａ、及び７Ｂを参照しながら説明する。図７Ａは、テープ巻取り用治具１０によるテープ３０の巻取り開始時の態様を示す斜視図である。図７Ｂは、テープ巻取り用治具１０によるテープ３０の巻取り完了時の態様を示す斜視図である。
【００２４】
まず、図１に示すように、電動ドライバ２０にテープ巻取り用治具１０が装着される。具体的には、テープ巻取り用治具１０の連結部１１が、電動ドライバ２０のチャック部２２に嵌挿されることにより固定される。
【００２５】
次に、図７Ａに示すように、径の大きな芯に巻かれているテープ３０の端部が、上記テープ巻取り用治具１０の開口部１３に挿通される。そして、反対側の開口部１３から引き出されたテープ３０を、巻取部１２の外周面に向かって折り返して押さえ付ける。これにより、テープ３０が巻取部１２に安定して固定される。さらに、電動ドライバ２０を操作して、テープ巻取り用治具１０を低速で回転させる。数周巻き付けた後、回転速度を上げる。これにより、迅速かつ正確にテープ３０を巻き換えることができる。
【００２６】
ここで、巻取部１２の外周面が滑らかであり、開口部１３等が形成されていないテープ巻取り用冶具１０の場合、巻取部１２の外周面にテープ３０を押し当てながらテープ３０を巻き取ることになる。しかし、特に、幅が狭いテープ、粘着力の弱いテープ、非粘着性テープ等を用いると、テープ３０が巻取部１２の外周面を滑りズレが生じるおそれがある。ズレが生じた状態でテープ３０を巻き取り続けることにより、巻き取られたテープ３０に皺や捩れが生じ、場合によっては、テープ３０を巻き直す必要も生じる。
【００２７】
これに対して、本実施形態に係るテープ巻取り用治具１０は、巻取部１２に開口部１３が形成されている。上述したように、テープ３０を開口部１３に挿通させて巻取部１２の外周面に向かって折り返して押さえ付けることにより、テープ３０の巻始め端部をより安定して固定することができる。これにより、皺や捩れ等のテープ３０の巻き崩れを抑制すると共に、迅速にテープ３０を巻き取ることが可能となる。
【００２８】
図７Ｂに示すように、テープ３０が巻き付けられたテープ巻取り用治具１０は、電動ドライバ２０から取り外される。これにより、小巻テープ１００が得られる。なお、テープ３０の巻取り量を増やし小巻テープ１００の径を大きくすると、壁と近接した配管、密集した配管と配管との間等に通すことができなくなるおそれがあるため、上述のように、テープ３０の巻取り量は、テープを使用する配管等の設置状況に応じて調整することが好ましい。
【００２９】
テープ巻取り用治具１０に巻き付けられたテープ３０を使い切った後、再度上述した工程により、テープ巻取り用治具１０を電動ドライバ２０に装着して、テープ３０を巻き付ける。これにより、何度でも簡単に小巻テープ１００を作成することができる。このように、テープ巻取り用治具１０は、市販のテープの芯と異なり使い捨てではなく、再利用可能であるため、部品点数が抑えられると共に経済的である。また、不要なゴミが発生しないという利点もある。
【００３０】
以下、本実施形態に係る小巻テープ１００の使用方法について、図８及び図９を参照しながら説明する。図８は、室内の壁５０にエアコンディショナ４０を設置するため、小巻テープ１００を使用して、エアコンディショナ４０の裏側から延びる複数の配管４１を束ねる様子を斜め下から見た図である。図９は、図８の破線部分の拡大図であり、小巻テープ１００を配管４１に巻き付けている様子を示す図である。
【００３１】
図８に示すように、エアコンディショナ４０の複数の配管４１は、エアコンディショナ４０の裏側からエアコンディショナ４０と壁５０との間を通り、壁穴５１を抜け、屋外の室外機（図示せず）に接続されている。エアコンディショナ４０は、完全に壁５０に設置されておらず、上部のみ壁５０に取り付けられ下部が浮いた状態であるが、配管４１と壁５０との隙間は狭い。このため、市販の芯が太いテープを隙間に通すことは困難である。
【００３２】
これに対して、小巻テープ１００の芯であるテープ巻取り用治具１０の径は十分小さいため、テープ３０の巻取り量を調整すれば、図９に示すように、テープをさらに小分けすることなく、小巻テープ１００を配管４１と壁５０との隙間に通してテープ３０を配管４１に巻き付けることができる。
【００３３】
以上説明した実施形態に係る取巻き用治具１０又は小巻テープ１００によれば、以下のような効果を奏する。
【００３４】
テープ巻取り用治具１０は、電動の回転工具に着脱可能な連結部１１と、連結部１１から延び、テープを巻取り可能な細い棒状の巻取部１２と、巻取部１２に設けられたスリット状の開口部１３と、を備える。
【００３５】
この構造のテープ巻取り用治具１０を電動の回転工具に装着して、テープ巻取り用治具１０を回転させながらテープ３０を巻き取ることにより、テープ３０の巻取り時間を短縮することができる。また、テープ３０を巻き始める際に、スリット状の開口部１３にテープ３０を差し込み、テープ３０の位置がズレないように規制することができる。これにより、テープ３０の巻き崩れの発生が抑制される。よって、市販のテープよりも径の小さい小巻テープ１００の作成作業の効率を向上することができる。
【００３６】
電動の回転工具として、電動ドライバ２０を用いる。電動ドライバ２０は、施工現場で汎用されている工具であり、持ち運びが容易な上、回転数の調整も可能である。よって、利便性が向上する。
【００３７】
上記開口部１３は、上記巻取部１２の回転軸を通り、かつ回転軸に対して垂直に貫通することにより形成される。このため、テープ３０を開口部１３に挿通させて巻取部１２の外周面に向かって折り返し押さえ付けることができる。これにより、テープ３０の巻始め端部がより安定して固定される。
【００３８】
小巻テープ１００は、電動の回転工具に着脱可能な連結部１１、連結部１１から延び、テープを巻取り可能な細い棒状の巻取部１２、及び巻取部１２の長手方向に延びるように設けられ、テープを差し込み可能であるスリット状の開口部１３、を有するテープ巻取り用治具１０と、テープ巻取り用治具１０に巻き付けられたテープ３０と、を備える。
【００３９】
この構造により、テープ３０の巻取り量を調整すれば、狭い空間でもテープを対象物に巻き付けることが可能となる。また、テープ３０を使い切った後、再度、テープ巻取り用治具１０を電動ドライバ２０に装着して、テープ３０を巻き付ける。これにより、何度でも簡単に小巻テープ１００を作成することができる。このように、テープ巻取り用治具１０は、市販のテープの芯と異なり使い捨てではなく、再利用可能であるため、部品点数が抑えられると共に経済的である。
【００４０】
以上、本発明の実施形態について説明したが、本発明は、上記実施形態に制限されるものではなく適宜変更が可能である。
【００４１】
上記実施形態では、電動の回転工具として電動ドライバ２０を用いているが、テープ巻取り用治具１０を装着でき、回転させることができる回転工具であれば特に制限はない。
【００４２】
上記実施形態では、テープ巻取り用治具１０の形状は細長い棒状であるが、電動ドライバ２０等の回転工具に装着可能であり、かつ、径の小さいテープを作成できる形状であれば特に制限されない。
【００４３】
上記実施形態では、連結部１１の形状は六角柱状であるが、電動ドライバ２０等の回転工具に脱着可能な形状であれば特に制限されず、例えば、四角、五角、七角等の多角柱状であっても、円柱状であってもよい。
【００４４】
上記実施形態では、開口部１３が巻取部１２の外周から反対側の外周へ貫通して形成される例を説明したが、開口部１３を貫通孔とせず、巻取部１２の外周面に形成された凹溝としてもよい。この構造により、テープ３０を巻き始める際に、凹溝である開口部１３にテープ３０の端部を差し込むことができるため、テープ３０の位置を規制しやすい。このため、テープ３０の巻き崩れを抑制する効果が期待できる。
【符号の説明】
【００４５】
１０  テープ巻取り用治具
１１  連結部
１２  巻取部
１３  開口部
３０  テープ
１００  小巻テープ
【図１】
2019210083.tif 000003
【図２】
2019210083.tif 000004
【図３】
2019210083.tif 000005
【図４】
2019210083.tif 000006
【図５】
2019210083.tif 000007
【図６】
2019210083.tif 000008
【図７Ａ】
2019210083.tif 000009
【図７Ｂ】
2019210083.tif 000010
【図８】
2019210083.tif 000011
【図９】
2019210083.tif 000012